(57)【要約】【課題】ユーザが現実世界に近い状態で、容易に、所望の文書および画像を選択し、所望の印刷形態で出力できるようにする【解決手段】タッチパネル１上に第１及び第２の表示部２，４と検索ボタン３を設定し、第１の表示部２にサーバ上のリポジトリ２ａを一覧表示させ、一覧表示された前記リポジトリ群の中から所望のリポジトリを選択し、選択されたリポジトリ内のデータをサムネイル５形式で表示し、表示された各々のサムネイル形式の表示を選択することにより選択されたサムネイル形式のデータを第２の表示部４に表示された印刷形態の所望の部分に移し、当該印刷形態で印字させる。その際、検索ボタン３を使用して前記データの特定部分をＷｅｂ上で検索し、検索結果を印字させることができる。【選択図】図５
2007251514.tif 000002
【特許請求の範囲】
【請求項１】
蓄積手段に蓄積されたリポジトリを一覧表示する一覧表示手段と、
一覧表示された前記リポジトリ群の中から所望のリポジトリを選択する選択手段と、
前記選択手段によって選択されたリポジトリ内のデータをサムネイル形式で表示するサムネイル表示手段と、
前記表示手段に表示された各々のサムネイル形式のデータを選択し、選択された当該データを表示するデータ表示手段と、
前記データ表示手段に表示された前記データを所望の印刷形態の所望の個所に配置する配置手段と、
を備えた入力装置。
【請求項２】
前記リポジトリがサーバ上に設定されていることを特徴とする請求項１記載の入力装置。
【請求項３】
所望の印刷形態を表示する印刷形態表示手段を備えていることを特徴とする請求項１又は２記載の入力装置。
【請求項４】
前記印刷形態表示手段に表示された印刷形態の中から所望の印刷形態を選択する印刷形態選択手段を備えていることを特徴とする請求項３記載の入力装置。
【請求項５】
前記サムネイル形式で表示されたデータの表示サイズを変更する表示サイズ変更手段を備えていることを特徴とする請求項１ないし４のいずれか１項に記載の入力装置。
【請求項６】
原稿倍率が拡大縮小されたサムネイル上のデータの特定部分を選択する特定部分選択手段を備えていることを特徴とする請求項５記載の入力装置。
【請求項７】
前記特定部分選択手段によって選択された特定部分をＷｅｂ上から文字検索及び／又は画像類似検索させる検索手段を備えていることを特徴とする請求項６項に記載の入力装置。
【請求項８】
前記検索手段によって検索された文字及び／又は画像から任意のものを選択させる被検索対象選択手段を備えていることを特徴とする請求項７記載の入力装置。
【請求項９】
前記一覧表示手段、前記選択手段、前記サムネイル表示手段、前記データ表示手段、及び前記配置手段がタッチスクリーン上に設定されていることを特徴とする請求項１ないし８のいずれか１項に記載の入力装置。
【請求項１０】
請求項１ないし９のいずれか１項に記載の入力装置を備えていることを特徴とする情報処理装置。
【請求項１１】
前記リポジトリが自身の記憶装置上に設定されていることを特徴とする請求項１０記載の情報処理装置。
【請求項１２】
請求項１０又は１１記載の情報処理装置からの印字信号に基づいて画像を形成することを特徴とする画像形成装置。
【請求項１３】
請求項１ないし９のいずれか１項に記載の入力装置を備えていることを特徴とする画像形成装置。
【請求項１４】
前記リポジトリが自身の記憶装置上に設定されていることを特徴とする請求項１３記載の画像形成装置。
【請求項１５】
前記印刷形態上に配置されたデータを印字出力することを特徴とする請求項１２ないし１４のいずれか１項に記載の画像形成装置。
【発明の詳細な説明】
【技術分野】
【０００１】
本発明は、表示に触れることにより所望の入力が可能な入力装置、及びこの入力装置を備え、所定の通信媒体を介して通信可能なサーバ装置と接続して使用される情報処理装置及び画像形成装置に関する。
【背景技術】
【０００２】
従来、ユーザの指定した印刷条件によって、その印刷条件をサポートする画像形成装置を自動選択する技術が一般に知られている。かかる技術では、ユーザが指定した印刷条件で印刷するために、画像形成装置ごとにその印刷条件の実行に必要な機能についての情報を取得し、ユーザが選択したすべての印刷条件に対応する機能を備える画像形成装置を自動的に選択して、文書データなどを印刷するものである。しかし、かかる技術では、自動的に画像形成装置が選択されてしまうため、例えば同様の機能を有する画像形成装置が存在する場合にであっても、ユーザの席から遠い画像形成装置が選択されるなど、ユーザが意図しない画像形成装置が自動的に選択されてしまうという問題があった。
【０００３】
このような問題を解決する方法として、例えば特許文献１に記載された技術が知られている。この技術は、ユーザが選択した印刷条件に対応する機能を備える画像形成装置を選択した上で、条件を備える画像形成装置の中から、さらにユーザが画像形成装置を選択することができるようにしたものである。
【特許文献１】特開２００４−７２２４７号公報
【発明の開示】
【発明が解決しようとする課題】
【０００４】
しかしながら、特許文献１記載の発明は、ユーザが使用している端末装置から画像形成装置に対して印刷を指示する際に印刷条件を設定するものであり、画像データが送信された画像形成装置において印刷対象である画像データに対して印刷条件を設定し、あるいは印刷形態を選択することはできず、操作性に問題が残っていた。
【０００５】
本発明は、このような背景に鑑みてなされたもので、その目的は、ユーザが現実世界に近い状態で、容易に、所望の文書および画像を選択することができるようにすることにある。
【課題を解決するための手段】
【０００６】
前記目的を達成するため、第１の手段は、蓄積手段に蓄積されたリポジトリを一覧表示する一覧表示手段と、一覧表示された前記リポジトリ群の中から所望のリポジトリを選択する選択手段と、前記選択手段によって選択されたリポジトリ内のデータをサムネイル形式で表示するサムネイル表示手段と、前記表示手段に表示された各々のサムネイル形式のデータを選択し、内容を表示するデータ表示手段と、前記データ表示手段に表示された内容を所望の印刷形態の所望の個所に配置する配置手段と、を入力装置が備えていることを特徴とする。
【０００７】
第２の手段は、第１の手段において、前記リポジトリがサーバ上に設定されていることを特徴とする。
【０００８】
第３の手段は、第１又は第２の手段において、所望の印刷形態を表示する印刷形態表示手段を備えていることを特徴とする。
【０００９】
第４の手段は、第３の手段において、前記印刷形態表示手段に表示された印刷形態の中から所望の印刷形態を選択する印刷形態選択手段を備えていることを特徴とする。
【００１０】
第５の手段は、第１ないし第４のいずれかの手段において、前記サムネイル形式で表示されたデータの表示サイズを変更する表示サイズ変更手段を備えていることを特徴とする。
【００１１】
第６の手段は、第５の手段において、原稿倍率が拡大縮小されたサムネイル上のデータの特定部分を選択する特定部分選択手段を備えていることを特徴とする。
【００１２】
第７の手段は、第６の手段において、前記特定部分選択手段によって選択された特定部分をＷｅｂ上から文字検索及び／又は画像類似検索させる検索手段を備えていることを特徴とする。
【００１３】
第８の手段は、第７の手段において、前記検索手段によって検索された文字及び／又は画像から任意のものを選択させる被検索物選択手段を備えていることを特徴とする。
【００１４】
第９の手段は、第１ないし第８のいずれかの手段において、前記一覧表示手段、前記選択手段、前記サムネイル表示手段、前記データ表示手段、及び前記配置手段がタッチスクリーン上に設定されていることを特徴とする。
【００１５】
第１０の手段は、第１ないし第９のいずれかの手段に係る入力装置を情報処理装置が備えていることを特徴とする。
【００１６】
第１１の手段は、第１０の手段において、前記リポジトリが自身の記憶装置上に設定されていることを特徴とする。
【００１７】
第１２の手段は、第１０又は第１１の手段に係る情報処理装置からの印字信号に基づいて画像形成装置が画像を形成することを特徴とする。
【００１８】
第１３の手段は、第１ないし第９のいずれかの手段に係る入力装置を画像形成装置が備えていることを特徴とする。
【００１９】
第１４の手段は、第１３の手段において、前記リポジトリが自身の記憶装置上に設定されていることを特徴とする。
【００２０】
第１５の手段は、第１２ないし第１４のいずれかの手段において、前記印刷形態上に配置されたデータを印字出力することを特徴とする。
【００２１】
なお、後述の実施形態では、一覧表示手段及びサムネイル表示手段はファイル表示部１０１に、選択手段はファイル選択部１０２に、データ表示手段はページ画像表示部１０３に、配置手段は印刷位置設定部１１１に、印刷形態表示手段は印刷形態表示部１０６に、印刷形態選択手段は印刷形態選択部１０７に、表示サイズ変更手段は表示サイズ変更部１０５に、特定部分選択手段は特定部分選択部１０８に、検索手段は検索部１０９に、被検索対象選択手段は被検索対象選択部１１０にそれぞれ対応し、それぞれタッチパネル１と、タッチパネル１の表示及び指示入力に基づく処理をＲＯＭ１２ａに格納されたプログラムにしたがって実行するＣＰＵ１１と、メインメモリとしてのＲＡＭ１２ｂの機能によって実現される。
【発明の効果】
【００２２】
本発明によれば、ユーザは、入力装置の表示画面上で操作するだけで現実世界に近い状態で、容易に、所望の文書および画像を選択し、所望の印刷形態で出力できるようにすることができる。
【発明を実施するための最良の形態】
【００２３】
以下、図面に基づき、本発明を実施するための最良の形態について説明する。
【００２４】
図１は、本発明の実施形態に係る複合機の構成を示すブロック図である。なお、本実施形態では、多機能な複合機を用いて説明するが、文書ファイルの印刷条件を設定するものであれば、複合機の他、複写機、プリンタ、さらにはＰＣなどの情報処理装置などであってもよい。
【００２５】
同図に示すように、この複合機１００は、コントローラ１０とエンジン部（Engine）６０とをＰＣＩ（Peripheral Component Interconnect）バスで接続した構成となる。コントローラ１０は、複合機１００全体の制御と描画、通信、操作部２０及びタッチパネル１からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００２６】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂと、をさらに有する。
【００２７】
ＣＰＵ１１は、複合機１００の全体制御を行うものであり、ＮＢ１３、ＭＥＭ−Ｐ１２およびＳＢ１４からなるチップセットを有し、このチップセットを介して他の機器と接続される。ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリで、メインメモリとして機能する。
【００２８】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。
【００２９】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００３０】
なお、本実施形態の複合機１００で実行される画像形成プログラムは、ＲＯＭ等に予め組み込まれて提供される。本実施形態の複合機１００で実行される画像形成プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。さらに、本実施形態の複合機１００で実行される画像形成プログラムを、インターネット等のネットワークに接続されたコンピュータ上に格納し、ネットワーク経由でダウンロードさせることにより提供するように構成してもよい。また、本実施形態の複合機で実行される画像形成プログラムをインターネット等のネットワーク経由で提供または配布するように構成してもよい。
【００３１】
図４は前記複合機１００のＣＰＵ１とプログラムによって実現される各機能を主に示す機能ブロック図である。同図において、ＲＡＭ１２ｂ上には、ＲＯＭ１２ａに記憶されたプログラムとタッチパネル１の入力状態に応じて、ファイル表示部１０１、ファイル選択部１０２、ページ画像表示部１０３、ページデータ選択部１０４、表示サイズ変更部１０５、印刷形態表示部１０６、印刷形態選択部１０７、特定部分選択部１０８、検索部１０９、被検索対象選択部１１０、印刷位置設定部１１１、印刷制御部１１２などの各機能部が設定される。なお、文書ファイル及び印刷形態はＨＤＤ１８の文書ファイル記憶部及び印刷形態データベースに格納されている。
【００３２】
ＨＤＤ１８に設定される文書ファイル記憶部は文書ファイルを記憶する。図２は文書ファイル記憶部に記憶されている文書（画像）ファイルの一例を示す説明図である。サーバ装置ＳＲの蓄積リポジトリ（以下、単にリポジトリと称す）に記憶されている文書（画像）ファイルでも同様であり、図２の例では、文書ファイル“Ｏ”、“Ｐ”、“Ｑ”及び“Ｒ”がリポジトリ内に格納されている。文書ファイル“Ｒ”には、ページデータ“Ａ”、“Ｂ”、“Ｃ”及び“Ｄ”が含まれている。ここでいうページデータとは、文書ファイルを印刷する場合の１ページ分のデータをいう。なお、本実施形態では、ネットワークなどを介して接続されたサーバ装置ＳＲ内にリポジトリを備えている場合を主として説明しているが、複合機１００に文書ファイル記憶部を備え、この文書ファイル記憶部から文書ファイルを呼び出す場合も同様である。
【００３３】
ファイル表示部１０１はサーバ上のリポジトリをタッチパネルの第１の表示部２に表示させる。具体的には、文書ファイルのファイル名あるいはリポジトリの名称などを一覧表示（一覧表示手段に対応）する。ファイル選択部１０２は、ファイル表示部１０１によって表示された文書ファイルの中から、印刷対象とする文書ファイルの選択を受け付ける。この選択は後述するが、タッチパネル１からの入力操作により行われる。
【００３４】
ページ画像表示部１０３は、ファイル選択部１０２によって選択された文書ファイルあるいはサーバ上のリポジトリに含まれるページデータを、ファイル記憶部（ＨＤＤ１８）あるいはサーバ装置ＳＲから取得して第１の表示部２にサムネイル形式で表示する。ＨＤＤ１８に設定された印刷形式データベースは、本実施形態に係る複合機１００において選択することができる印刷形態（形式）を規定する。ここで、印刷形態とは、文書ファイルに含まれる複数のページデータを用紙に印刷する際におけるページデータの配置位置等を定めるものである。図３は印刷形態データベースのデータ構成の一例を示す説明図である。印刷形態データベースは、印刷形態（形式）と、印刷形態（形式）を表わす画像データとを関連付けて記憶する。例えば、印刷形態データベースには“ブック形式”、“通常形式”、“集約形式（上下）”及び“集約形式（左右）”などの印刷形態（形式）と、それぞれに対応する文書及び／又は画像データが記憶されている。
【００３５】
印刷形態表示部１０６は印刷形態データベースに記憶された印刷形態を表わす画像データをタッチパネル１の第２の表示部４に表示する。印刷形態選択部１０７は印刷形態表示部１０７によって表示された複数の印刷形態（印刷形式）を表わす画像データの中から、文書ファイルを印刷する１つの印刷形態の選択を受付け、選択された１つの印刷形式を表わす画像を、ページデータを配置する領域（以下、用紙ページ領域４ａという）として表示する。また、用紙ページ領域４ａに対応するページ番号４ｂを表示する。
【００３６】
表示サイズ変更部１０５は第１又は第２の表示部２，４に表示されている画像のサイズを変更するもので、前記表示部２，４をタッチすることにより拡大あるいは縮小表示が行われる。なお、表示サイズの変更はダブルクリックあるいはクリック等の操作上の違いによって、あるいは１回タッチすることによってサイクリックに表示サイズを変更することにより行われる。
【００３７】
特定部分選択部１０６はタッチパネル１の第１の表示部２上に表示されたファイルデータから所望の文字列あるいは画像を選択するもので、検索部１０９は選択された文字列あるいは画像をタッチパネル上の検索ボタン３からの指示に基づいて前記リポジトリの中から検索する。この検索では被検索対象選択部１１０で検索された文字及び／又は画像から任意のもの、例えば完全同一のもの、あるいは所定（任意）の類似範囲のものが選択され、選択された文字列あるいは画像が第１の表示部２に表示される。
【００３８】
印刷位置設定部１１１は被検索対象選択部１１０で選択された文字列や画像を前記用紙ページ領域４ａのいずれかの個所に移動させ、移動させた位置に印刷するように設定する。用紙ページ領域４ａを異なるページに設定する場合には、例えばページ番号４ｂをタッチし、ページを繰るか、ページ部分を指で滑らせるようにしてページを繰る。これにより用紙ページ領域４ａのページを選択し、さらにその用紙ページ領域４ａにおける印刷位置を指定することができる。このようにして指定された位置と印刷すべきデータが印刷制御部１１２に送られ、印刷制御部１１２のプリンタドライバからプリントデータとしてエンジン６０側に送られ、前記位置に前記データが印刷される。また、印刷制御部１１２は、表示サイズ変更部１０５によって変更された画像サイズや図示しない用紙サイズ変更部によって変更された用紙サイズでページデータを印刷させることもできる。
【００３９】
図５は本実施形態に係る複合機の入力装置として使用されるタッチパネル１の表示の変化状態を示す図である。図５（ａ）に示すようにタッチパネル１には、リポジトリ、サムネイル、文書の内容などを表示する第１の表示部２と、Ｗｅｂ検索ボタン３と、印刷形態を表示する第２の表示部４とが設けられている。図５（ａ）はこの第１の表示部２の初期状態を示す図である。第１の表示部２にはリポジトリ名“Ｏ”，“Ｐ”，“Ｑ”，“Ｒ”が付されたリポジトリ２ａが表示されている。このリポジトリ２ａは前述のようにＰＣＩバスにネットワークを介して接続されたサーバ装置ＳＲに格納されたものである。すなわち、例えばリポジトリ名“Ｑ”は、前記サーバ装置ＳＲのデータベース（リポジトリ）から取得される。また、第２の表示部４には、前述のＨＤＤ１８の印刷形式データベースに記憶された印刷形態、すなわち、“ブック形式”４１、“通常形式”４２、“集約形式（上下）”４３及び“集約形式（左右）”４４などの印刷形態がアイコンによって表示される。
【００４０】
初期状態では、このように表示されたタッチパネル１では、前記ファイル選択部１０２が、画面に表示された図示しないサーバ上のリポジトリ名の中から、印刷対象であるリポジトリ２ａの選択を受け付ける。例えば、タッチパネル１に表示されたリポジトリ“Ｒ”をユーザが指などで指示することによって、リポジトリ“Ｒ”の選択を受け付ける。
【００４１】
印刷形態表示部１０７は、印刷形式データベースに格納された印刷形態（形式）を表わす画像データを取得して、第２の表示部（画面）４に表示する。この第２の表示部４には、例えば、図５（ａ）においては、前述の“ブック形式”、“通常形式”、“集約形式（上下）”、“集約形式（左右）”の印刷形式を表す画像データが表示されている。印刷形態選択部１０７は、印刷形態（形式）の選択を受け付ける。具体的には、タッチパネル１の第２の表示部４に表示された印刷形態（形式）をユーザが指などでタッチして指示することにより、印刷形態（形式）の選択を受け付ける。図５（ａ）で“ブック形式”が選択されたとすると、第２の表示部４に“ブック形式”の画像４１が表示されると共に、ページ番号４ｂも表示される（図５（ｂ））。ページ画像表示部１０４は、ファイル選択部１０３によって選択されたサーバ上のリポジトリ“Ｒ”のページデータ“Ａ”、“Ｂ”、“Ｃ”、“Ｄ”を取得し、サムネイル形式のページデータの画像５として第１の表示部２に表示する（図５（ｂ）−サムネイル表示手段）。
【００４２】
図５（ｃ）に示すように図５（ｂ）の第１の表示部２からユーザがページデータ“Ｂ”を選択すると、ページデータ選択部はページデータ“Ｂ”の選択を受け付ける。そして、サムネイル形式で表示された画像（ここでは文書）Ｂをユーザがダブルクリックなどの選択動作により選択すると、倍率が拡大されて（表示サイズ変更手段）第１の表示部２に前記“Ｂ”リポジトリのデータが表示される（図５（ｄ））。そして、第１の表示部２に表示された文書の中から検索させたい文字列６をユーザがドラッグアンドドロップで指定し（図４（ｅ））、検索ボタン３をクリックすると（図４（ｆ））、Ｗｅｂによる検索結果が表示される（図４（ｇ））。この検索結果は例えば前記特定部分選択手段１０８で特定された文字列を含むデータ（文字データ）である。次いで、検索結果の文字列６を含む文書をユーザが指示し（図４（ｇ））ドラッグアンドドロップにより所望のページ上に配置する（図４（ｈ））。
【００４３】
本実施形態の複合機１００で実行される入力、表示及び画像形成プログラムは、前述した各機能部（ファイル表示部１１０、ファイル選択部１０２、ページ画像表示部１０３、印刷形態表示部１０６、印刷形式選択部１０７、等々）を含むモジュール構成となっており、実際のハードウェアとしてはＣＰＵ（プロセッサ）１１が上記ＲＯＭ１２ａからプログラムを読み出して実行することにより上記各部がＲＡＭ（主記憶装置）１２ｂ上にロードされ、前記各機能部などが主記憶装置上に生成されるようになっている。
【００４４】
なお、本発明は前述した実施形態に限定されるものではない。
【００４５】
以上のように、本実施形態によれば、
１）タッチパネルを使用したタッチ動作により各処理が実行されるので、ユーザが現実世界に近い状態で、容易に、所望の文書および画像を選択することができる。  
２）選択された文書及び／又は画像をエンジン部から容易に印字出力することができる。
３）倍率の変更、印刷形態の選択、表示された各々のサムネイルを選択された印刷形態の所望する場所への指示入力が容易に行える。  
４）選択された印刷形態の所望する場所への指示入力が容易であることから、所望の印刷形態で出力することが容易に行える。  
５）タッチパネルを使用したタッチ動作により簡単に選択、検索、印刷位置への貼り付けなどの各操作を行えるので、ユーザライクなユーザインターフェースとすることができる。  
６）原稿倍率が拡大縮小されたサムネイル上の文書及び／又は画像の特定部分を、タッチパネル１を使用した簡単なタッチ動作で選択することができる。  
７）選択された特定部分をＷｅｂ上から文字検索及び／又は画像類似検索することができる。  
８）検索された文字及び／又は画像で任意のものを選択することができる。  
９）情報処理装置の文書処理、画像形成装置の文書処理及び印刷のための入力装置として容易に適用することができる。  
等の効果を奏する。
【図面の簡単な説明】
【００４６】
【図１】本発明の実施形態に係る複合機の構成を示すブロック図である。
【図２】文書ファイル記憶部あるいはリポジトリに記憶されている文書ファイルの一例を示す説明図である。
【図３】印刷形式データベースのデータ構成の一例を示す説明図である。
【図４】本発明の実施形態における入力装置であるタッチパネルを使用したときのＣＰＵとプログラムによって実現される各機能を主に示す機能ブロック図である。
【図５】本発明の実施形態における入力装置であるタッチパネルを使用した処理の一例を示す図である。
【符号の説明】
【００４７】
１  タッチパネル
２  第１の表示部
２ａ  リポジトリ
３  検索ボタン
４  第２の表示部
４ａ  用紙ページ領域
４ｂ  ページ番号
５  サムネイル
１０  コントローラ
１１  ＣＰＵ
１２  ＭＥＭ−Ｐ
１６  ＡＳＩＣ
１７  ＭＥＭ−Ｃ
１８  ＨＤＤ
２０  操作部
６０  エンジン部
１００  複合機
ＳＲ  サーバ装置
【図１】
2007251514.tif 000003
【図２】
2007251514.tif 000004
【図３】
2007251514.tif 000005
【図４】
2007251514.tif 000006
【図５】
2007251514.tif 000007